(57)【特許請求の範囲】
【請求項１】
給気口及び吹出口を有するハウジングと、前記給気口に設けられたエアフィルタと、前記給気口から室内空気を吸引し、吸引した空気をバーナを有する燃焼室で加熱して、前記吹出口から温風を吹き出す送風路を形成する送風ファンと、室内温度を検知する室温検知部と、前記燃焼室または前記送風路の燃焼室より下流側に設けられた目詰まり判定用温度検知部と、前記エアフィルタの目詰まりを判定する目詰まり判定部を含む制御ユニットと、前記エアフィルタの目詰まりを報知する報知器と、を備えた温風暖房機であって、
前記制御ユニットは、
前記エアフィルタに目詰まりがない初期状態で温風暖房機を運転して室内を基準設定温度まで上昇させたときの前記室温検知部で検知される基準室温Ｔｒ０及び前記目詰まり判定用温度検知部で検知される基準判定温度Ｔｄ０を記憶し、
温風暖房機を運転して室内を設定温度まで上昇させたときの前記目詰まり判定用温度検知部で検知される運転時判定温度Ｔｄｎと前記室温検知部で検知される運転時室温Ｔｒｎとの運転時温度差（Ｔｄｎ−Ｔｒｎ）が、前記基準判定温度Ｔｄ０と前記基準室温Ｔｒ０との基準温度差（Ｔｄ０−Ｔｒ０）よりも、所定温度以上高い場合、前記報知器から前記エアフィルタの目詰まりを報知し、
前記エアフィルタの目詰まりが報知されて前記エアフィルタが掃除された場合、
前記基準室温Ｔｒ０及び前記基準判定温度Ｔｄ０をそれぞれ、前記エアフィルタの掃除後、最初に温風暖房機を運転して室内を設定温度まで上昇させたときの前記室温検知部で検知される初回運転時室温Ｔｒｉ及び前記目詰まり判定用温度検知部で検知される初回運転時判定温度Ｔｄｉに更新する温風暖房機。
【請求項２】
請求項１に記載の温風暖房機であって、さらに、
前記制御ユニットは、
前記初期状態において所定回転数で前記送風ファンを回転させたときのファンモータの基準電流値Ａ０を記憶し、
温風暖房機を運転して前記送風ファンを前記所定回転数と同回転数で回転させたときの前記ファンモータの運転時電流値Ａｎが、前記基準電流値Ａ０よりも、所定電流値以上低い場合、前記報知器から前記エアフィルタの目詰まりを報知する温風暖房機。
【請求項３】
請求項２に記載の温風暖房機であって、
前記エアフィルタの目詰まりが報知されて前記エアフィルタが掃除された場合、
前記制御ユニットは、
前記基準電流値Ａ０を、前記エアフィルタの掃除後、最初に温風暖房機を運転したときの前記ファンモータの初回運転時電流値Ａｉに更新する温風暖房機。
【請求項４】
請求項１〜３のいずれか１項に記載の温風暖房機であって、
前記目詰まり判定用温度検知部で検知される運転時判定温度Ｔｄｎが所定の運転禁止温度以上である場合、前記制御ユニットは運転を停止する温風暖房機。
【発明の詳細な説明】
【技術分野】
【０００１】
本発明は、ガスファンヒータや石油ファンヒータなどの温風暖房機に関する。特に、本発明は、給気口に設けられたエアフィルタの目詰まりを報知する機能を備えた温風暖房機に関する。
【背景技術】
【０００２】
従来、給気口及び吹出口を設けたハウジング内に送風ファンを配設して送風路を形成するとともに、送風路中にバーナなどを備える燃焼室を設け、給気口から吸引した室内の空気を加熱することにより、吹出口から温風を吹き出すガスファンヒータや石油ファンヒータなどの温風暖房機が知られている。この種の温風暖房機では、通常、送風路内に吸引される空気中の塵や埃等を除去するためのエアフィルタが給気口に装填されている。それゆえ、エアフィルタに目詰まりが生じると、温風暖房機の暖房能力が低下することから、エアフィルタの掃除の必要性を使用者に報知することが行われている。
【０００３】
例えば、エアフィルタの目詰まりがひどくなると、室内から吸引される空気の量が少なくなり、吹出口から室内に吹き出される温風量が減少して、燃焼室の温度が上昇するため、給気口近傍と吹出口近傍の温度差が大きくなることから、これらの温度を測定し、その温度差が所定温度以上になるとエアフィルタの目詰まりを報知する温風暖房機や、同様に燃焼室の温度が所定の検知温度以上になると、エアフィルタの目詰まりを報知する温風暖房機が提案されている（例えば、特許文献１及び２）。
【先行技術文献】
【特許文献】
【０００４】
【特許文献１】特開昭５４−１４５０６９号公報
【０００５】
【特許文献２】特開２００４−６１０４８号公報
【発明の概要】
【発明が解決しようとする課題】
【０００６】
ところで、上記のような給気口近傍と吹出口近傍の温度や燃焼室の温度を測定するために使用されるサーミスタの温度特性は製品によってばらつきがあり、またバーナの燃焼特性や送風路における空気の流通性も個々の温風暖房機によって異なっている。さらに、温風暖房機が使用される室内の通気性によってもハウジング内の温度が変化する。そのため、上記特許文献１や２のように給気口近傍と吹出口近傍の温度差や燃焼室の温度に基づき一律にエアフィルタの目詰まりを判断すると、個々の温風暖房機の特性や使用環境の相違から、エアフィルタに塵埃の付着が少ない場合でも、エアフィルタの目詰まりが報知されたり、あるいは逆にエアフィルタに塵埃が多量に付着している場合でも、エアフィルタの目詰まりが報知されないという問題がある。この場合、エアフィルタの目詰まりによる燃焼不良の防止を優先させて、目詰まりを判定するための給気口近傍と吹出口近傍の温度差や燃焼室の検知温度の絶対値を低下させることも考えられるが、短期間でエアフィルタの目詰まりが報知されるため、使い勝手が悪いという問題がある。
【０００７】
本発明は上記課題を解決するためになされたものであり、本発明の目的は、給気口に設けられたエアフィルタの目詰まりを正確に報知できる温風暖房機を提供することにある。
【課題を解決するための手段】
【０００８】
本発明は、給気口及び吹出口を有するハウジングと、前記給気口に設けられたエアフィルタと、前記給気口から室内空気を吸引し、吸引した空気をバーナを有する燃焼室で加熱して、前記吹出口から温風を吹き出す送風路を形成する送風ファンと、室内温度を検知する室温検知部と、前記燃焼室または前記送風路の燃焼室より下流側に設けられた目詰まり判定用温度検知部と、前記エアフィルタの目詰まりを判定する目詰まり判定部を含む制御ユニットと、前記エアフィルタの目詰まりを報知する報知器と、を備えた温風暖房機であって、
前記制御ユニットは、
前記エアフィルタに目詰まりがない初期状態で温風暖房機を運転して室内を基準設定温度まで上昇させたときの前記室温検知部で検知される基準室温Ｔｒ０及び前記目詰まり判定用温度検知部で検知される基準判定温度Ｔｄ０を記憶し、
温風暖房機を運転して室内を設定温度まで上昇させたときの前記目詰まり判定用温度検知部で検知される運転時判定温度Ｔｄｎと前記室温検知部で検知される運転時室温Ｔｒｎとの運転時温度差（Ｔｄｎ−Ｔｒｎ）が、前記基準判定温度Ｔｄ０と前記基準室温Ｔｒ０との基準温度差（Ｔｄ０−Ｔｒ０）よりも、所定温度以上高い場合、前記報知器から前記エアフィルタの目詰まりを報知し、
前記エアフィルタの目詰まりが報知されて前記エアフィルタが掃除された場合、
前記基準室温Ｔｒ０及び前記基準判定温度Ｔｄ０をそれぞれ、前記エアフィルタの掃除後、最初に温風暖房機を運転して室内を設定温度まで上昇させたときの前記室温検知部で検知される初回運転時室温Ｔｒｉ及び前記目詰まり判定用温度検知部で検知される初回運転時判定温度Ｔｄｉに更新する温風暖房機である。
【０００９】
上記温風暖房機によれば、エアフィルタに目詰まりがない初期状態で温風暖房機を運転して室内を基準設定温度まで上昇させたときの室温検知部で検知される基準室温Ｔｒ０及び目詰まり判定用温度検知部で検知される基準判定温度Ｔｄ０を制御ユニットが記憶しているから、初期状態における個々の温風暖房機が有する特性を把握することができる。
【００１０】
そして、運転時の設定温度に応じて運転時室温Ｔｒｎ及び運転時判定温度Ｔｄｎは変化するが、室温検知部で検知される基準室温Ｔｒ０及び運転時室温Ｔｒｎはそれぞれ、室内が基準設定温度及び運転時の設定温度まで上昇したときの温度であるから、エアフィルタに目詰まりがなければ運転時室温Ｔｒｎと基準室温Ｔｒ０との温度差は、運転時判定温度Ｔｄｎと基準判定温度Ｔｄ０との温度差にも同様に反映される。従って、運転時温度差（Ｔｄｎ−Ｔｒｎ）が基準温度差（Ｔｄ０−Ｔｒ０）よりも高い場合には、その設定温度において初期状態よりも高い温度でバーナが燃焼されているから、上記温度差の相違［（Ｔｄｎ−Ｔｒｎ）−（Ｔｄ０−Ｔｒ０）］が所定温度以上であれば、エアフィルタが目詰まりしたと判断できる。
【００１２】
さらに、温風暖房機は、使用によりハウジング内に塵や埃が堆積しやすく、またサーミスタの温度特性やバーナの燃焼特性は温風暖房機の使用により経時劣化する。そのため、エアフィルタの掃除が行なわれて初期状態と同じ基準設定温度で運転が行われても、室温検知部及び目詰まり判定用温度検知部で検知される各温度は、それ以前の初期状態で記憶された基準室温Ｔｒ０及び基準判定温度Ｔｄ０と異なる可能性がある。従って、エアフィルタの掃除後、最初に温風暖房機を運転して室内を設定温度まで上昇させたときの室温検知部で検知される初回運転時室温Ｔｒｉ及び目詰まり判定用温度検知部で検知される初回運転時判定温度Ｔｄｉのそれぞれを、基準室温Ｔｒ０及び基準判定温度Ｔｄ０として新たに利用すれば、よりその温風暖房機の状態に応じた特性に基づきエアフィルタの目詰まりを判断することができる。
【００１３】
上記温風暖房機において、好ましくは
前記制御ユニットは、
前記初期状態において所定回転数で前記送風ファンを回転させたときのファンモータの基準電流値Ａ０を記憶し、
温風暖房機を運転して前記送風ファンを前記所定回転数と同回転数で回転させたときの前記ファンモータの運転時電流値Ａｎが、前記基準電流値Ａ０よりも、所定電流値以上低い場合、前記報知器から前記エアフィルタの目詰まりを報知する。
【００１４】
サーミスタの温度特性やバーナの燃焼特性は温風暖房機の使用により経時劣化するため、長期使用により、同じ設定温度であっても運転時判定温度Ｔｄｎ及び運転時室温Ｔｒｎに変化が生じてくる場合がある。一方、既述したように、エアフィルタの目詰まりがひどくなると室内から吸引される空気の量が低下するから、送風ファンを駆動するためのファンモータの負荷が小さくなり、電流値が低下する。従って、上記の温度差の相違だけでなく、エアフィルタの目詰まりのない初期状態で送風ファンを所定回転数で回転させたときの基準電流値Ａ０と同回転数で回転させたときの運転時電流値Ａｎとを比較すれば、より正確にエアフィルタが目詰まりしたと判断することができる。
【００１５】
上記温風暖房機において、前記エアフィルタの目詰まりが報知されて前記エアフィルタが掃除された場合、
前記制御ユニットは、
前記基準電流値Ａ０を、前記エアフィルタの掃除後、最初に温風暖房機を運転したときの前記ファンモータの初回運転時電流値Ａｉに更新してもよい。
【００１６】
温度特性と同様に、ファンモータが経時劣化した場合、同じ回転数であっても運転時電流値Ａｎが変化する可能性があるから、上記温風暖房機によれば、より温風暖房機の状態に応じた特性に基づきエアフィルタの目詰まりを判断することができる。
【００１７】
上記温風暖房機において、
前記目詰まり判定用温度検知部で検知される運転時判定温度Ｔｄｎが所定の運転禁止温度以上である場合、前記制御ユニットは運転を停止してもよい。
【００１８】
上記温風暖房機によれば、運転時判定温度Ｔｄｎが所定の運転禁止温度以上であれば運転が停止されるから、使用者がエアフィルタの掃除を忘れていた場合でも、異常過熱温度での運転を防止することができる。
【発明の効果】
【００１９】
以上説明したように、本発明によれば、個々の温風暖房機の特性に基づきエアフィルタの目詰まりをより正確に報知することができる。
【図面の簡単な説明】
【００２０】
【図１】図１は、本発明の実施の形態に係る温風暖房機を示す概略断面図である。
【図２】図２は、本発明の実施の形態に係る温風暖房機の要部を示すブロック図である。
【図３】図３は、本発明の実施の形態に係る温風暖房機においてエアフィルタの目詰まりを判断する制御動作を示すフロー図である。
【発明を実施するための形態】
【００２１】
以下、本発明の一実施形態をなすガスファンヒータについて図面を参照しながら具体的に説明する。
【００２２】
図１を参照して、本実施の形態に係る温風暖房機１はガスファンヒータであり、室内に配置されるハウジング２内に内蔵された暖房機本体３が、ダクト４（送風路）、ダクト７（燃焼用空気通路）、送風ファン５、ガスバーナ６、ガス供給管８などを具備し、制御ユニット９により制御されるように構成されている。
【００２３】
ダクト４は、ハウジング２の背面側に設けられた給気口１０及び前面下部に設けられた吹出口１１に開口している。給気口１０には、塵や埃等がダクト４内に流入するのを防ぐためにエアフィルタ１２が取付けられている。吹出口１１には、その開口度合いや温風の吹出方向を調節する可動式ルーバ１３が取付けられ、この可動式ルーバ１３を駆動するための図略のギャドモータが設けられている。
【００２４】
送風ファン５は、通電電流に比例して回転数が増大するファンモータ１６と、ファンモータ１６により回転駆動される回転羽根１７とを有し、回転羽根１７の回転により給気口１０からダクト４内に室内空気ｓを吸引する。そして、吸引した室内空気ｓをダクト４内に組み込まれたガスバーナ６の燃焼排気ｈと混合して加熱し、それを温風ｍとして吹出口１１から吹き出す。この送風ファン５には、その回転数を検知するための回転数センサ１８が配設されている。回転数センサ１８は、ファンモータ１６の一回転毎に所定数のパルスを発生するホールＩＣにより構成されたものであり、その出力を制御ユニット９に送出する。
【００２５】
ダクト４内に組み込まれた燃焼室Ｃは、ガスバーナ６と、燃焼プレート２０を囲むように配設された燃焼胴１９ａと、燃焼胴１９ａの上部開口部に対向するように配設された分流板１９ｂとを備える。燃焼胴１９ａの上端と分流板１９ｂの下面との間は、燃焼プレート２０で加熱された燃焼排気ｈの通路となる隙間が設けられている。また、燃焼プレート２０の下流側には、点火電極２１、及び異常燃焼を検知するためのサーモカップル２２が配設されている。このサーモカップル２２は、ガスバーナ６の燃焼炎に晒されて起電力を発生し、それを制御ユニット９に出力する。
【００２６】
ダクト７は、室内空気ｓと燃料ガスとをガスバーナ６に供給するための燃焼用空気通路であり、ガスバーナ６と連通し、且つダクト４と画成してハウジング２内に組み込まれ、ハウジング２の背面に開口した給気口２３と連通している。そして、給気口２３からガスバーナ６に至る途中箇所には、ガス供給管８の先端に取付けられたノズル２４が導入されている。このダクト７には、送風ファン５の回転駆動によりエアフィルタ１２に覆われている給気口２３から室内空気ｓが吸引され、その吸引された室内空気ｓがガスバーナ６に至る過程でガス供給管８のノズル２４から噴出される燃料ガスと混合されて、その混合気がガスバーナ６に供給される。また、ダクト７の内部の給気口２３近傍には、サーミスタにより構成された室温センサ（室温検知部）２６が取付けられ、この室温センサ２６は、室温に対応した電気出力を制御ユニット９に出力する。なお、室温検知部は、ダクト４の内部の給気口１０近傍に設けてもよいし、ハウジング２の構成壁の外面に設けてもよい。
【００２７】
吹出口１１近傍には、サーミスタにより構成された目詰まり判定用温度センサ（目詰まり判定用温度検知部）１５が取付けられ、この目詰まり判定用温度センサ１５は、吹出口１１から吹き出される温風ｍの温度に対応した電気出力を制御ユニット９に出力する。なお、目詰まり判定用温度検知部は、燃焼胴１９ａや分流板１９ｂなどの燃焼室Ｃの構成壁に設けてもよい。
【００２８】
ガス供給管８には、その上流側から順に、電磁弁２７，２８、及び比例弁２９が配設されている。電磁弁２７，２８は、通電により開弁状態になると燃料ガスをノズル２４方向へ通過させ、通電停止により閉弁状態となると燃料ガスの通過を遮断する。比例弁２９は、通電電流の大きさに伴って開度が増大する弁であり、通電電流とガスバーナ６への供給ガス量とが比例する。
【００２９】
ハウジング２の上面には、運転スイッチ３０、温調スイッチ３１，３２、フィルタランプ３３（報知器）、及びリセットスイッチ３４が配設されている。
【００３０】
運転スイッチ３０は、そのＯＮ／ＯＦＦ操作により暖房運転の開始や終了を制御ユニット９に指示する。温調スイッチ３１，３２は、室温を設定するための押しボタンスイッチであり、それぞれ押圧により、設定室温を１°Ｃづつ上昇及び下降させて制御ユニット９に指示する。
【００３１】
フィルタランプ３３は、その点灯によりエアフィルタ１２の目詰まりによる掃除の必要性を使用者に報知するものであり、制御ユニット９により通電制御される。リセットスイッチ３４は、後述する基準室温Ｔｒ０、基準判定温度Ｔｄ０、及び基準電流値Ａ０をそれぞれ、初回運転時室温Ｔｒｉ、初回運転時判定温度Ｔｄｉ、及び初回運転時電流値Ａｉに更新するためのものであり、使用者がフィルタランプ３３からの報知によりエアフィルタ１２の目詰まりを認識し、エアフィルタ１２の掃除を行った後、所定時間（例えば、５秒）連続して押圧すると、次の暖房運転までリセット信号が制御ユニット９に保持される。
【００３２】
図２を参照して、制御ユニット９は、運転制御部３５、温調制御部３６、燃焼制御部３７、ファン制御部３８、目詰まり判定部３９、及びファン通電部４０を備え、ＣＰＵ、ＲＯＭ、ＲＡＭなどから構成されている。
【００３３】
運転制御部３５は、運転スイッチ３０からの指示信号、サーモカップル２２が送出する起電力、及び目詰まり判定部３９が後述するように送出する運転停止信号に基づいて、電磁弁２７，２８の通電を制御する。
【００３４】
温調制御部３６は、室温センサ２６によって検知された室温と、温調スイッチ３１，３２で設定される設定温度とに基づいてガスバーナ６の燃焼強度を決定し、その決定した燃焼強度を示す燃焼強度信号を燃焼制御部３７及びファン制御部３８に出力する。
【００３５】
燃焼制御部３７は、温調制御部３６から付与される燃焼強度信号に基づいてガスバーナ６への供給ガス量を決定し、この供給ガス量となる開度が得られる比例弁電流を比例弁２９に通電する。また、燃焼制御部３７は、点火電極２１への通電を制御する。
【００３６】
ファン制御部３８には回転数センサ１８からの出力と温調制御部３６からの燃焼強度信号とが入力され、燃焼強度信号に基づいてガスバーナ６の燃焼強度に見合った量の空気をダクト４，７に吸引するための送風ファン５の目標回転数を予め定められたデータテーブル等に従って設定する。そして、ファン制御部３８は、送風ファン５の回転数が設定された目標回転数となる通電量の基準指示値を決定し、目標回転数と回転数センサ１８から出力される送風ファン５の回転数との偏差から基準指示値を補正した通電量を決定して、ファン通電部４０及び目詰まり判定部３９に送出する。ファン通電部４０は、補正された通電量の大きさの電流をファンモータ１６に通電して送風ファン５を回転させる。
【００３７】
目詰まり判定部３９は、温度記憶部３９ａ、通電量記憶部３９ｂ、温度比較部３９ｃ、及び通電量比較部３９ｄを備えている。温度記憶部３９ａには、エアフィルタ１２に目詰まりがない初期状態で使用者が初めて温風暖房機１を運転して室内を基準設定温度まで上昇させたときの室温センサ２６で検知される基準室温Ｔｒ０、目詰まり判定用温度センサ１５で検知される基準判定温度Ｔｄ０、及び運転禁止温度が記憶されており、通電量記憶部３９ｂには、上記と同様に、エアフィルタ１２の目詰まりがない初期状態において送風ファン５を回転させたときの回転数とファンモータ１６の基準電流値Ａ０とのデータテーブルが記憶されている。これにより、初期状態における個々の温風暖房機１が有する特性を把握することができる。また、これら基準室温Ｔｒ０、基準判定温度Ｔｄ０、及び基準電流値Ａ０は、リセットスイッチ３４が押圧されると、リセット後、最初に温風暖房機１が運転されて室内を設定温度まで上昇させたときの室温センサ２６で検知される初回運転時室温Ｔｒｉ、目詰まり判定用温度センサ１５で検知される初回運転時判定温度Ｔｄｉ、及びファンモータの初回運転時電流値Ａｉに更新される。なお、温風暖房機１が初めて使用される最初期の基準室温Ｔｒ０、基準判定温度Ｔｄ０、及び基準電流値Ａ０は、工場出荷時に設定されてもよい。
【００３８】
温度比較部３９ｃは、目詰まり判定用温度センサ１５から出力される運転時判定温度Ｔｄｎと室温センサ２６から出力される運転時室温Ｔｒｎとの運転時温度差（Ｔｄｎ−Ｔｒｎ）を求めるとともに、温度記憶部３９ａに記憶された基準判定温度Ｔｄ０と基準室温Ｔｒ０との基準温度差（Ｔｄ０−Ｔｒ０）を求め、運転時温度差（Ｔｄｎ−Ｔｒｎ）と基準温度差（Ｔｄ０−Ｔｒ０）との相違［（Ｔｄｎ−Ｔｒｎ）−（Ｔｄ０−Ｔｒ０）］が所定温度以上であるかどうかを判断する。また、温度比較部３９ｃは、運転時判定温度Ｔｄｎが所定の運転禁止温度以上である場合、フィルタランプ３３に通電してフィルタランプ３３を連続点灯させるとともに、運転制御部３５に運転停止信号を出力する。
【００３９】
通電量比較部３９ｄは、温度比較部３９ｃで、運転時温度差（Ｔｄｎ−Ｔｒｎ）と基準温度差（Ｔｄ０−Ｔｒ０）との相違［（Ｔｄｎ−Ｔｒｎ）−（Ｔｄ０−Ｔｒ０）］が所定温度以上である場合、ファンモータ１６の運転時電流値Ａｎと、通電量記憶部３９ｂに記憶された基準電流値Ａ０とを比較し、運転時電流値Ａｎが基準電流値Ａ０より所定電流値以上低い場合、フィルタランプ３３に通電してフィルタランプ３３を点滅点灯させる。
【００４０】
次に、本実施の形態の温風暖房機１においてエアフィルタ１２の目詰まりの判断動作について図３のフロー図を参照して具体的に説明する。
【００４１】
使用者が運転スイッチ３０をＯＮ操作すると、それに応じて制御ユニット９の制御により暖房運転が開始される（ステップＳＴ１）。この暖房運転では、制御ユニット９は、送風ファン５のファンモータ１６、点火電極２１、電磁弁２７，２８、及び比例弁２９に通電を行い、送風ファン５の回転羽根１７の回転による室内空気ｓのダクト４，７への吸引を開始せしめるとともに、ガスバーナ６へのガス供給及びその着火・燃焼を開始せしめる。
【００４２】
一方、回転羽根１７の回転によって、エアフィルタ１２を介して給気口１０からダクト４内に取り込まれた室内空気ｓは、ガスバーナ６の燃焼排気ｈと混合されることにより温風ｍとなり、吹出口１１から室内に吹き出される。そして、室温センサ２６で検知される室温が設定温度となるように（例えば、設定温度±１℃の温度が１分間継続する状態）、制御ユニット９は、既述したガスバーナ６の燃焼強度、及び送風ファン５の回転数を制御する。
【００４３】
室温センサ２６で検知される室温が設定温度になると、温度比較部３９ｃは、まず運転時判定温度Ｔｄｎが所定の運転禁止温度（例えば、６０℃）以上となっていないかどうかを判断する（ステップＳＴ２）。運転時判定温度Ｔｄｎが所定の運転禁止温度以上である場合（ステップＳＴ２でＹｅｓ）、目詰まり判定部３９は運転停止信号を運転制御部３５に出力して、フィルタランプ３３を連続点灯させ（ステップＳＴ３）、ファンモータ１６等への通電を停止するとともに、電磁弁２７，２８を閉弁して、温風暖房機１の運転を停止する（ステップＳＴ４）。これにより、使用者がエアフィルタ１２の掃除を忘れ、エアフィルタ１２に重度の目詰まりが生じていても、異常過熱温度での暖房運転を防止することができる。
【００４４】
運転時判定温度Ｔｄｎが所定の運転禁止温度未満である場合（ステップＳＴ２でＮｏ）、次に制御ユニット９はリセットスイッチ３４が押されたかどうかを判断する（ステップＳＴ５）。リセットスイッチ３４が操作されていない場合（ステップＳＴ５でＮｏ）、使用者がエアフィルタ１２の掃除を行っていないから、目詰まり判定部３９は、目詰まり判定用温度センサ１５で検知される運転時判定温度Ｔｄｎと室温センサ２６で検知される運転時室温Ｔｒｎとの運転時温度差（Ｔｄｎ−Ｔｒｎ）を求めるとともに、温度記憶部３９ａに記憶された基準判定温度Ｔｄ０と基準室温Ｔｒ０との基準温度差（Ｔｄ０−Ｔｒ０）を求め、その温度差の相違が所定温度（例えば、５Ｋ）以上であるかどうかを判断する（ステップＳＴ６）。
【００４５】
すなわち、運転時の設定温度に応じて運転時室温Ｔｒｎ及び運転時判定温度Ｔｄｎは変化するが、室温センサ２６で検知される基準室温Ｔｒ０及び運転時室温Ｔｒｎはそれぞれ、室内が基準設定温度及び運転時の設定温度まで上昇したときの温度であるから、エアフィルタ１２に目詰まりがなければ運転時室温Ｔｒｎと基準室温Ｔｒ０との温度差は、運転時判定温度Ｔｄｎと基準判定温度Ｔｄ０との温度差にも同様に反映される。従って、運転時温度差（Ｔｄｎ−Ｔｒｎ）が基準温度差（Ｔｄ０−Ｔｒ０）よりも所定温度以上高い場合には、その設定温度において初期状態よりも高い温度でガスバーナ６が燃焼されているから、エアフィルタ１２が目詰まりしている可能性があると判断できる。
【００４６】
温度比較部３９ｃによりエアフィルタ１２の目詰まりの可能性が判断されると（ステップＳＴ６でＹｅｓ）、さらに制御ユニット９は、通電量比較部３９ｄにより、運転時電流値Ａｎと通電量記憶部３９ｂに記憶された基準電流値Ａ０とを比較する（ステップＳＴ７）。すなわち、上記の運転時温度差（Ｔｄｎ−Ｔｒｎ）が基準温度差（Ｔｄ０−Ｔｒ０）よりも所定温度以上高い場合、通常はエアフィルタ１２が目詰まりしている可能性が高いが、室温センサ２６や目詰まり判定用温度センサ１５で使用されているサーミスタの温度特性やガスバーナ６の燃焼特性が経時劣化し、運転時判定温度Ｔｄｎ及び運転時室温Ｔｒｎに変化が生じる場合もある。従って、温度特性だけでなく、ファンモータ１６の通電量による通気特性も比較することによって、より正確にエアフィルタ１２が目詰まりしたと判断することができる。なお、運転時電流値Ａｎの回転数が基準電流値Ａ０の所定回転数と異なる場合、回転数と通電量のデータテーブルから運転時の回転数を基準電流値Ａ０の回転数と同回転数に補正した運転時電流値Ａｎを基準電流値Ａ０と比較してもよい。
【００４７】
通電量比較部３９ｄによってもエアフィルタ１２の目詰まりの可能性が判断されると（ステップＳＴ７でＹｅｓ）、目詰まり判定部３９は、フィルタランプ３３を点滅点灯させてエアフィルタ１２の目詰まりを使用者に知らせる（ステップＳＴ８）。これにより使用者は、エアフィルタ１２の掃除の必要性を認識することができる。
【００４８】
一方、リセットスイッチ３４が操作されている場合（ステップＳＴ５でＹｅｓ）、フィルタサインに気付いた使用者がエアフィルタ１２を掃除し、エアフィルタ１２は目詰まりが少ない状態であるが、既にそれまでの暖房運転によりハウジング２内に塵や埃が堆積している可能性がある。また、サーミスタの温度特性やガスバーナ６の燃焼特性は経時劣化している可能性がある。従って、同じ設定温度で運転しても、室温センサ２６及び目詰まり判定用温度センサ１５で検知される各温度、及びファンモータ１５の電流値は、それ以前の初期状態で記憶された基準室温Ｔｒ０、基準判定温度Ｔｄ０、及び基準電流値Ａ０と異なる可能性がある。このため、温度記憶部３９ａに記憶されていた基準室温Ｔｒ０及び基準判定温度Ｔｄ０と、通電量記憶部３９ｂに記憶されていた基準電流値Ａ０とを、リセット後に最初に温風暖房機１を運転して室内を設定温度まで上昇させたときの室温センサ２６で検知される初回運転時室温Ｔｒｉ及び目詰まり判定用温度センサ１５で検知される初回運転時判定温度Ｔｄｉと、ファンモータ１５の初回運転時電流値Ａｉとにそれぞれ更新し（ステップＳＴ９）、上記ステップＳＴ６及びＳＴ７と同様にエアフィルタ１２の目詰まりの判断を行う。これにより、よりその温風暖房機１の状態に応じた特性に基づきエアフィルタ１２の目詰まりを判断することができる。
【００４９】
上記エアフィルタ１２の目詰まりを判定するステップは運転スイッチ３０がＯＦＦ操作されるまで行われ（ステップ１０でＮｏ）、暖房運転中は運転時判定温度Ｔｄｎが運転禁止温度以上になった場合を除いて、エアフィルタ１２の目詰まりの監視が継続される。
【００５０】
（その他の実施の形態）
（１）上記実施の形態では、運転時温度差（Ｔｄｎ−Ｔｒｎ）と基準温度差（Ｔｄ０−Ｔｒ０）との相違だけでなく、運転時電流値Ａｎと基準電流値Ａ０との相違も比較してエアフィルタ１２の目詰まりを判断しているが、温度のみによりエアフィルタ１２の目詰まりを判断してもよい。
【００５１】
（２）上記実施の形態では、運転スイッチ３０がＯＮ操作された場合、毎回エアフィルタ１２の目詰まりが判定されるが、所定の累積運転時間（例えば、５００時間）が経過するごとにエアフィルタ１２の目詰まりの判定を行ってもよい。
【００５２】
（３）上記実施の形態では、目詰まりの報知をフィルタランプ３３から行なっているが、スピーカにより音声で目詰まりを報知してもよい。
【００５３】
（４）上記実施の形態では、エアフィルタ１２の掃除が行われたことをリセットスイッチ３４の押圧により判断しているが、既述したようにエアフィルタ１２に目詰まりがある状態で暖房運転した場合と、エアフィルタ１２に目詰まりがない状態で暖房運転した場合とでは運転時判定温度Ｔｄｎや運転時電流値Ａｎが異なってくる。従って、前回の暖房運転時における運転時判定温度Ｔｄｎ−１または運転時電流値Ａｎ−１と、運転時判定温度Ｔｄｎまたは運転時電流値Ａｎとを比較することによりエアフィルタ１２が掃除されたかどうかを判断してもよい。
【符号の説明】
【００５４】
１  温風暖房機
２  ハウジング
５  送風ファン
６  ガスバーナ
９  制御ユニット
１０，２３  給気口
１１  吹出口
１２  エアフィルタ
１５  目詰まり判定用温度センサ（目詰まり判定用温度検知部）
１６  ファンモータ
２６  室温センサ（室温検知部）
３３  フィルタランプ（報知器）
３９  目詰まり判定部
Ｃ    燃焼室
【図３】
0005511736.tif 000002
【図１】
0005511736.tif 000003
【図２】
0005511736.tif 000004